(57)【要約】【課題】取水路に設置された既存の平面スクリーンに対して取り付けることが可能な清掃装置および清掃方法を提供する。【解決手段】清掃装置１は、取水路Ｃに設置された２次スクリーンＳの上流側に配置されたメッシュスクリーン２と、メッシュスクリーン２を２次スクリーンＳの面に沿って昇降させる昇降機構３と、メッシュスクリーン２の昇降時にメッシュスクリーン２に付着した塵芥を掻き落とし、掻き落とした塵芥を収集する上流側除塵装置４および下流側除塵装置５とを備えている。メッシュスクリーン２は、ガイドユニット８により、２次スクリーンＳを支持するために設置された既存の支柱Ｐに沿って上下動する。【選択図】図３
2018199970.tif 000002
【特許請求の範囲】
【請求項１】
水路を流れる水に混在している塵芥を除去するために前記水路内に設置された平面スクリーンに用いられ、前記平面スクリーンが詰まらないように清掃する清掃装置であって、前記平面スクリーンの上流側に配設されて塵芥を除去するメッシュスクリーンと、前記メッシュスクリーンを前記平面スクリーンの面に沿って上下動させる昇降手段と、前記メッシュスクリーンが上昇あるいは下降する際に、前記メッシュスクリーンの少なくとも上流側の面に付着した塵芥を除去し、除去された塵芥を収集する除塵手段とを備えることを特徴とする平面スクリーンの清掃装置。
【請求項２】
前記メッシュスクリーンは、前記平面スクリーンを支持するために設けられた支柱によってガイドされることを特徴とする請求項１に記載の平面スクリーンの清掃装置。
【請求項３】
前記除塵手段は、前記メッシュスクリーンの上昇あるいは下降中に、前記メッシュスクリーンに付着している塵芥を掻き落とすゴミ落し部と、前記ゴミ落し部によって掻き落とされた塵芥を受けるゴミ受け部と、前記メッシュスクリーンの停止後に前記ゴミ受け部に溜まった塵芥を収集するゴミ収集部とを備えることを特徴とする請求項１または２に記載の平面スクリーンの清掃装置。
【請求項４】
前記平面スクリーンの上流側と下流側の水位を測定する測定手段と、前記上流側と下流側との水位差が所定値に達した場合に、前記昇降手段および前記除塵手段を動作させる制御手段とを備えることを特徴とする請求項１ないし３のいずれか１項に記載の平面スクリーンの清掃装置。
【請求項５】
水路を流れる水に混在している塵芥を除去するために前記水路内に設置された平面スクリーンに用いられ、前記平面スクリーンが詰まらないように清掃する清掃方法であって、前記平面スクリーンの上流側に配設されたメッシュスクリーンを前記平面スクリーンの面に沿って上下動させる昇降工程と、前記メッシュスクリーンの上昇あるいは下降中に、前記メッシュスクリーンの少なくとも上流側の面に付着した塵芥を除去する除去工程と、前記メッシュスクリーンの停止後に、除去された塵芥を収集する収集工程とを備えることを特徴とする平面スクリーンの清掃方法。
【発明の詳細な説明】
【技術分野】
【０００１】
本発明は、水中の塵芥の除去に用いられる平面スクリーンを清掃するための清掃装置および清掃方法に関する。
【背景技術】
【０００２】
火力発電所は、ボイラーで生成し、タービンで使用した蒸気を冷却するための復水器を備えており、この復水器の冷却水として海水を用いている。海水を復水器に取り込むための取水路には、取水口付近で海水中の塵芥を除去する除塵装置と、除塵装置で取り除けなかった細かな塵芥を除去する２次スクリーン（平面スクリーン）と、２次スクリーンを通過した海水を復水器に送水する取水ポンプとが設けられている。２次スクリーンは、例えば、塵芥を除去した後の海水を通過させるために細かな孔が多数設けられた金属板からなり、取水路を塞ぐように設置されている。
【０００３】
近年、クラゲや藻の大量発生やゴミなどの大量流入によって除塵装置だけでは適切な除塵が行えず、２次スクリーンに塵芥が大量に付着して海水が塞き止められる事象が発生している。２次スクリーンで海水が塞き止められると、２次スクリーンの上流側と下流側とで水位差が生じ、復水器に対する海水の供給量が減少するので、復水器の真空が低下してしまう。また、２次スクリーンの下流側では、海水が塞き止められて水位が低下する状態と、２次スクリーンの詰まった部分を越えた海水が大量に流れ込んで水位が一気に上昇する状態とが繰り返し発生するので、取水ポンプのモータ電流にハンチングが発生してしまう。このような状態が発生した場合、発電出力が不安定になるので、発電機の出力制限や、発電機の停止（ユニットトリップ）などの措置が必要になり、所定の発電量が得られなくなってしまう。
【０００４】
そのため、２次スクリーンに付着した塵芥の除去（清掃）が定期的に、あるいは付着状況に応じて行われている。塵芥の付着状況は、例えば、目視あるいは水流音に基づいて確認される。上述したように、２次スクリーンが詰まって海水が塞き止められた場合、海水の大量流入時に大きな音が発生するので、２次スクリーンが詰まっていることが分かる。２次スクリーンの清掃は、作業者がボートに乗って取水路に入り、ボート上からブラシやスクレーパなどで２次スクリーンに付着した塵芥を掻き落とし、落した塵芥をボート上に集めて取水路から撤去している。しかし、この清掃作業は、危険を伴ううえ、作業費用や作業時間が多くかかってしまう。
【０００５】
火力発電所の２次スクリーンに関するものではないが、取水路に設置された平面スクリーン上で清掃部（レーキやスクレーバ、ブラシなど）を移動させ、平面スクリーンに付着した塵芥を除去できるようにしたスクリーン装置が従来発明されている（例えば、特許文献１〜４参照）。このようなスクリーン装置によれば、作業者が取水路に入って清掃作業を行う必要がなくなる。
【先行技術文献】
【特許文献】
【０００６】
【特許文献１】実用新案登録第３０９４０４４号公報
【特許文献２】特開２０１４−０７７２９６号公報
【特許文献３】特開２００７−０４６３７５号公報
【特許文献４】特開２０００−１２９６５３号公報
【発明の概要】
【発明が解決しようとする課題】
【０００７】
しかしながら、特許文献１〜４に記載のスクリーン装置は、清掃部と、この清掃部によって清掃しやすい形状にされた専用の平面スクリーンとを用いるものであり、取水路内に設置されている既存の平面スクリーンに取り付けることはできない。したがって、火力発電所の取水路に特許文献１〜４のスクリーン装置を用いる場合には、既存の２次スクリーンを撤去して、清掃機能を備えた新たなスクリーン装置を設置するという大掛かりな改修作業が必要となるので簡単には適用できない。
【０００８】
本発明は、上記課題を解決するために、取水路に設置された既存の２次スクリーン（平面スクリーン）に対して取り付けることが可能な清掃装置および清掃方法を提供することを目的とする。
【課題を解決するための手段】
【０００９】
上記課題を解決するために、請求項１に記載の発明は、水路を流れる水に混在している塵芥を除去するために前記水路内に設置された平面スクリーンに用いられ、前記平面スクリーンが詰まらないように清掃する清掃装置であって、前記平面スクリーンの上流側に配設されて塵芥を除去するメッシュスクリーンと、前記メッシュスクリーンを前記平面スクリーンの面に沿って上下動させる昇降手段と、前記メッシュスクリーンが上昇あるいは下降する際に、前記メッシュスクリーンの少なくとも上流側の面に付着した塵芥を除去し、除去された塵芥を収集する除塵手段と、を備えることを特徴とする。
【００１０】
また、請求項５に記載の発明は、水路を流れる水に混在している塵芥を除去するために前記水路内に設置された平面スクリーンに用いられ、前記平面スクリーンが詰まらないように清掃する清掃方法であって、前記平面スクリーンの上流側に配設されたメッシュスクリーンを前記平面スクリーンの面に沿って上下動させる昇降工程と、前記メッシュスクリーンの上昇あるいは下降中に、前記メッシュスクリーンの少なくとも上流側の面に付着した塵芥を除去する除去工程と、前記メッシュスクリーンの停止後に、除去された塵芥を収集する収集工程と、を備えることを特徴とする。
【００１１】
請求項１および請求項５に記載の発明によれば、既存の平面スクリーンの上流側に配設されたメッシュスクリーンによって水中の塵芥を除去する。平面スクリーンの詰まりを防ぐために清掃を行う場合には、昇降手段によってメッシュスクリーンを平面スクリーンの面に沿って上下動させ、メッシュスクリーンの上昇あるいは下降中に、メッシュスクリーンの少なくとも上流側の面に付着した塵芥を除塵手段によって除去する。次いで、メッシュスクリーンの停止後に、除去された塵芥を除塵手段によって収集する。
【００１２】
請求項２に記載の発明は、請求項１に記載の平面スクリーンの清掃装置であり、前記メッシュスクリーンは、前記平面スクリーンを支持するために設けられた支柱によってガイドされる、ことを特徴とする。
【００１３】
請求項３に記載の発明は、請求項１または２に記載の平面スクリーンの清掃装置であり、前記除塵手段は、前記メッシュスクリーンの上昇あるいは下降中に、前記メッシュスクリーンに付着している塵芥を掻き落とすゴミ落し部と、前記ゴミ落し部によって掻き落とされた塵芥を受けるゴミ受け部と、前記メッシュスクリーンの停止後に前記ゴミ受け部に溜まった塵芥を収集するゴミ収集部と、を備えることを特徴とする。
【００１４】
請求項４に記載の発明は、請求項１ないし３のいずれか１項に記載の平面スクリーンの清掃装置であり、前記平面スクリーンの上流側と下流側の水位を測定する測定手段と、前記上流側と下流側との水位差が所定値に達した場合に、前記昇降手段および前記除塵手段を動作させる制御手段と、を備えることを特徴とする。
【発明の効果】
【００１５】
請求項１および請求項５に記載の発明によれば、平面スクリーンの上流側にメッシュスクリーンを配設して水中の塵芥を除去するので、平面スクリーンへの塵芥の付着を防ぐ、すなわち平面スクリーンの汚染を防止することが可能である。また、平面スクリーンの詰まりを防ぐために清掃を行う場合には、昇降手段によってメッシュスクリーンを平面スクリーンの面に沿って上下動させ、メッシュスクリーンの上昇あるいは下降中に、メッシュスクリーンの少なくとも上流側の面に付着した塵芥を除塵手段によって除去するので、作業者が取水路に入って作業しなくても、平面スクリーンが詰まるのを防ぐことが可能である。さらに、メッシュスクリーンの停止後に、除去された塵芥を除塵手段によって収集するので、メッシュスクリーンから除去した塵芥が再び水中に混在して付着するのを防ぐことが可能である。
【００１６】
また、本発明の清掃装置は、既存の平面スクリーンに、メッシュスクリーン、昇降手段および除塵手段を取り付けることにより構成することが可能であるため、既存の平面スクリーンに対して比較的容易に取り付けることが可能である。
【００１７】
請求項２に記載の発明によれば、メッシュスクリーンは、平面スクリーンを支持するために設けられた支柱によってガイドするようにしたので、メッシュスクリーンをガイドするための構成を簡略化することができ、既存の平面スクリーンに対して比較的容易に取り付けることが可能である。
【００１８】
請求項３に記載の発明によれば、メッシュスクリーンの上昇あるいは下降中に、除塵手段のゴミ落し部によってメッシュスクリーンに付着した塵芥を掻き落とすようにしたので、メッシュスクリーンの全域を清掃することが可能である。また、ゴミ落し部によって掻き落とされた塵芥をゴミ受け部によって受けるようにしたので、掻き落とされた塵芥が散乱して平面スクリーンの周辺が汚れるのを防ぐことが可能である。
【００１９】
さらに、ゴミ受け部に溜まった塵芥は、ゴミ収集部によって収集されるので、掻き落とした塵芥が再び水中に混在して、メッシュスクリーンや平面スクリーンが汚れるのを防ぐことが可能である。
【００２０】
請求項４に記載の発明によれば、平面スクリーンの上流側と下流側の水位差と、所定値とを比較することにより、メッシュスクリーンに塵芥が付着して水が塞き止められている状態を検知し、自動的にメッシュスクリーンの清掃を開始することができるので、作業者による平面スクリーンの定期点検を減らしても安定した取水状態を維持することが可能である。
【図面の簡単な説明】
【００２１】
【図１】本発明の清掃装置が取り付けられる取水口および２次スクリーンの正面図（Ａ）、側面側から見た断面図（Ｂ）、上面側から見た２次スクリーンの断面図である。
【図２】実施の形態１に係る清掃装置の構成を示す正面図である。
【図３】図１に示す清掃装置を側面側から見た断面図である。
【図４】図２に示す清掃装置でメッシュスクリーンが上昇している状態を示す断面図である。
【図５】図１に示す清掃装置でメッシュスクリーンをガイドするガイドユニットの側面図である。
【図６】図５に示すガイドユニットを上面側から見た断面図である。
【図７】図１に示す清掃装置でメッシュスクリーンをガイドするガイドレールの断面図である。
【図８】図１に示す清掃装置の横行ユニットを正面側から見た断面図である。
【図９】図１に示す清掃装置の電気的な構成を示すブロック図である。
【図１０】図１に示す清掃装置でメッシュスクリーンの清掃を自動的に開始する手順を示すフローチャートである。
【図１１】図１に示す清掃装置でメッシュスクリーンを清掃する手順を示すフローチャートである。
【図１２】実施の形態２に係る収集装置の構成を示す正面図である。
【図１３】２次スクリーンを清掃可能なメッシュスクリーンの構成を示す側面図である。
【発明を実施するための形態】
【００２２】
以下、この発明を図示の実施の形態に基づいて説明する。
【００２３】
（実施の形態１）
図１は、本発明の清掃装置が設置される火力発電所の取水路Ｃを示しており、同図（Ａ）は、取水路Ｃに設置された２次スクリーン（平面スクリーン）Ｓの正面図、同図（Ｂ）は、２次スクリーンＳを側面側から見た断面を示している。取水路Ｃは、例えば港湾に設けられた取水口（図示せず）から復水器（図示せず）まで海水Ｗを導水するための水路であり、地中に設けられている。取水路Ｃには、取水口付近で海水Ｗ中の塵芥を除去する除塵装置（図示せず）と、除塵装置で取り除けなかった細かな塵芥を除去する２次スクリーンＳと、２次スクリーンＳを通過した海水Ｗを復水器に送水する取水ポンプ（図示せず）とが設けられている。
【００２４】
２次スクリーンＳは、例えば、塵芥を除去した海水Ｗを通過させるために細かな孔が多数設けられた金属板からなり、側面側から見て２次スクリーンＳの上部が海水Ｗの取水方向Ｔ側に傾けられるように配設されている。取水路Ｃの２次スクリーンＳが設置される位置には、２次スクリーンＳの設置、点検および交換の際に作業場として利用されるフロアＦが設けられている。
【００２５】
取水路Ｃは、例えば、幅が４ｍ、高さが２ｍ程度と大きいため、２次スクリーンＳは、その幅方向において２分割され、取水路Ｃの幅方向の中央部においてフロアＦに立て掛けるようにして設置された支柱Ｐによって側辺が支持されている。支柱Ｐを上方側から見た断面図である図１（Ｃ）に示すように、この支柱Ｐには、例えば、断面がＨ字形状をしたＨ型鋼が用いられている。支柱Ｐの断面形状は、平行に配置された一対の短辺Ｐ１と、短辺Ｐ１に対して直交するように配置されて短辺Ｐ１間を接続する長辺Ｐ２とを備えており、２枚の２次スクリーンＳの測辺は、短辺Ｐ１と長辺Ｐ２とによって構成される一対の溝Ｐ３に挿入されて支持されている。
【００２６】
図１ないし図１１は、本発明の実施の形態を示しており、図２は、上述した既存の２次スクリーンＳに設置された清掃装置１を示す正面図であり、図３は、清掃装置１を側面側から見た断面図、図４は、清掃中の清掃装置１を側面側から見た断面図を示している。なお、図２では、図面の煩雑化を防ぐために２次スクリーンＳの図示は省略している。
【００２７】
清掃装置１は、２次スクリーンＳの上流側に配設されて塵芥を除去するメッシュスクリーン２と、メッシュスクリーン２を２次スクリーンＳの面に沿って上下動させる昇降機構（昇降手段）３と、メッシュスクリーン２が上昇あるいは下降する際に、メッシュスクリーン２に付着した塵芥を除去し、除去された塵芥を収集する上流側除塵装置４および下流側塵除装置５と、を備える。
【００２８】
また、清掃装置１は、海水Ｗの水位を測定する上流側水位センサ（測定手段）６Ａおよび下流側水位センサ（測定手段）６Ｂと、水位の測定結果に基づいて、昇降機構３と、上流側除塵装置４および下流側塵除装置５とを制御する制御装置（制御手段）７（図８参照）と、を備える、
【００２９】
メッシュスクリーン２は、例えば、塵芥を除去した海水Ｗを通過させるために細かな孔が多数設けられた金属板である。メッシュスクリーン２の孔は、２次スクリーンＳに対する塵芥の付着を防ぐために、２次スクリーンＳと同等サイズ、あるいは２次スクリーンＳよりも小さいサイズとされている。
【００３０】
メッシュスクリーン２は、中央下部の下流側の面に取り付けられたガイドユニット８と、取水路Ｃの両側面Ｃ１に設置された一対のガイドレール９とによってガイドされている。これにより、メッシュスクリーン２は、２次スクリーンＳに対面して塵芥を除去する除塵位置と、付着した塵芥を除去するために上昇される清掃位置との間で上下動される。
【００３１】
ガイドユニット８は、２字スクリーンＳと一緒に支柱Ｐに沿って移動してメッシュスクリーン２をガイドするものである。このガイドユニット８は、図５に示す側面図および図６に示す上方側から見た断面図で示すように、メッシュスクリーン２に取り付けられた本体部８１と、本体部８１内に回転自在に装着された３本のガイドローラとから構成されている。本体部８１は、メッシュスクリーン２に取り付けられる正面部８１ａと、この正面部８１ａから垂直に立ち上げられた一対の側面部８１ｂとを備えた略コ字状をしている。３本のガイドローラは、側面部８１ｂによって両端が支持された長ローラ８２と、側面部８１ｂによって片持ち状に支持された２本の短ローラ８３とからなる。２本の短ローラ８３は、側面から見て同軸上に配置されている。これにより、３本のガイドローラ８２、８３は、正面部８１ａと平行、すなわち互いに平行に配設されている。
【００３２】
ガイドユニット８は、側面部８１ｂの間に支柱Ｐを挟み込むように配置され、長ローラ８２が支柱Ｐの一方の短辺Ｐ１の外側に当接し、２本の短ローラ８３が長辺Ｐ２を挟み込むようにして短辺Ｐ１の内側に当接する。これにより、ガイドユニット８は、支柱Ｐに沿って移動自在となるので、このガイドユニット８に取り付けられたメッシュスクリーン２も支柱Ｐに沿って移動自在となる。なお、２次スクリーンＳの厚みは、支柱Ｐの溝Ｐ３の幅よりも薄いため、溝Ｐ３内で２次スクリーンＳをずらせば、短ローラ８３が挿入可能な隙間が得られる。
【００３３】
ガイドレール９は、メッシュスクリーン２の測辺の対面するように、取水路Ｃの底面側から上方に向かって延設されている。ガイドレール９は、例えば、図７に示す上方側から見た断面図で示すように、断面がコ字状の鋼材（溝形鋼、チャンネル鋼）によって構成されており、このコ字状の溝内にメッシュスクリーン２の測辺が挿入して支持されている。なお、図３、４では、図面の煩雑化を防ぐためガイドレール９の図示は省略している。
【００３４】
昇降機構３は、一対のワイヤドラム３１と、２本のワイヤ３２と、４個のローラ３３と、ワイヤドラム３１を駆動する昇降モータ３４とを備えており、これらはフロアＦの上に設置されている。ワイヤドラム３１は、メッシュスクリーン２の幅方向に沿って配設された回転軸によって回転自在に支持されており、外周にワイヤ３２がそれぞれ巻かれている。回転軸には、昇降モータ３４が連結されている。ワイヤ３２は、ローラ３３によってガイドされ、その端部がガイドユニット８の両側面に固定されている。これにより、昇降モータ３４がワイヤ３２を巻き上げる第１の方向に回転すると、メッシュスクリーン２が上方に移動（上昇）され、昇降モータ３４がワイヤ３２を繰り出す第２の方向に回転すると、メッシュスクリーン２が下方に移動（下降）する。
【００３５】
また、昇降機構３は、メッシュスクリーン２の停止位置および移動方向を制御するために、メッシュスクリーン２が除塵位置と清掃位置とのいずれの位置にあるかを検知する昇降位置センサ３５を備えている。この昇降位置センサ３５には、例えば光学センサや磁気センサ、リミットスイッチなどが用いられる。
【００３６】
上流側除塵装置４は、ブラシ（ゴミ落し部）４１と、ゴミ受け部４２と、収集装置（ゴミ収集部）４３とを備える。ブラシ４１は、収集装置４３を構成する横行ユニット４３ｄの下流側の面（背面）に設けられており、上昇するメッシュスクリーン２の上流側の面（前面）に当接して付着した塵芥を掻き落とす。ブラシ４１は、メッシュスクリーン２の幅方向に渡って設けられている。ブラシ４１は、例えば金属ブラシである。
【００３７】
ゴミ受け部４２は、樋状の金属板からなり、メッシュスクリーン２の前面下部に取り付けられている。ゴミ受け部４２は、ブラシ４１によってメッシュスクリーン２から掻き落とされた塵芥を受け止める（収容する）。ゴミ受け部４２は、メッシュスクリーン２の移動に伴って一緒に昇降する。
【００３８】
収集装置４３は、吸引ノズル４３ａと、吸引ホース４３ｂと、上流側吸引装置４３ｃと、吸引ノズル４３ａをメッシュスクリーン２の幅方向に渡って移動させる横行ユニット４３ｄとを備えている。
【００３９】
吸引ノズル４３ａは、ゴミ受け部４２に溜まった塵芥を吸引するためのノズルであり、メッシュスクリーン２の上流側でかつ上方に配置されている。吸引ノズル４３ａは、メッシュスクリーン２が上端の清掃位置に移動したときに、一緒に上昇してきたゴミ受け部４２内に入り込み、このゴミ受け部４２に溜まった塵芥を吸引する。吸引ホース４３ｂは、吸引ノズル４３ａを介して塵芥を吸引するためのホースであり、吸引ノズル４３ａの移動に追従可能な長さおよび柔軟性を備えている。
【００４０】
上流側吸引装置４３ｃは、例えば、掃除機のような装置であって、吸引ホース４３ｂおよび吸引ノズル４３ａを介して塵芥を吸引する。上流側吸引装置４３ｃは、例えば、取水路Ｃの外に設置されており、取水路Ｃに入らずに吸引装置４３Ｃに溜まった塵芥を処理できるようになっている。
【００４１】
横行ユニット４３ｄは、取水路Ｃの幅方向に渡って設置されており、吸引ノズル４３ａをメッシュスクリーン２の幅方向に沿って横方向（左右方向）に往復移動させる。横行ユニット４３ｄは、例えば、図８に示すように、背面側にブラシ４１が設けられたケース４３１ｄと、ケース４３１ｄ内の両端に配設されたスプロケット４３２ｄと、このスプロケット４３２ｄに掛けられたチェーン４３３ｄと、チェーン４３３ｄに取り付けられて吸引ノズル４３ａを保持するブラケット４３４ｄと、スプロケット４３２ｄを駆動する上流側横行モータ４３ｅとを備えている。
【００４２】
そして、上流側横行モータ４３ｅによってスプロケット４３２ｄが回転されると、これに掛けられたチェーン４３３ｄが走行し、チェーン４３３ｄに取り付けられたブラケット４３４ｄが吸引ノズル４３ａをメッシュスクリーン２の幅方向に沿って移動させる。また、横行ユニット４３ｄには、吸引ノズル４３ａの移動位置を検出する上流側横行位置センサ４３ｆが設けられている。この上流側横行位置センサ４３ｆには、例えばリミットスイッチや、光学センサ、磁気センサなどが用いられる。なお、横行ユニット４３ｄの駆動機構としては、スプロケットおよびチェーンの他に、ボールネジなどを用いてもよい。
【００４３】
下流側除塵装置５は、上流側除塵装置４と同様に、ブラシ（ゴミ落し部）５１と、ゴミ受け部５２と、収集装置（ゴミ収集部）５３とを備えている。上流側除塵装置４と異なっているのは、メッシュスクリーン２の下流側の面（背面）に付着した塵芥を除去するために、ブラシ５１が横行ユニット５３ｄの前面側に設けられている点、ゴミ受け部５２がフロアＦの上に固定されている点、などである。すなわち、メッシュスクリーン２の塵芥を除去するブラシ４１、５１は、メッシュスクリーン２の両面を挟み込むように配置されている。
【００４４】
収集装置５３は、上流側除塵装置４の収集装置４３と同様に、吸引ノズル５３ａ、吸引ホース５３ｂ、下流側吸引装置５３ｃおよび横行ユニット５３ｄを備えている。横行ユニット５３ｄは、上流側除塵装置４の横行ユニット４３ｄと同様に、ケース、スプロケット、チェーン、ブラケット、下流側横行モータ５３ｅおよび下流側横行位置センサ５３ｆ（図９参照）を備えている。
【００４５】
上流側水位センサ６Ａおよび下流側水位センサ６Ｂは、例えば超音波センサであり、２次スクリーンＳの上流側と下流側で下方（海水Ｗ）に向けて設置されている。上流側水位センサ６Ａおよび下流側水位センサ６Ｂは、海水Ｗの水面に向けて超音波を送信して反射した超音波を受信し、送信から受信までの時間に基づいて水位を測定する。
【００４６】
図９は、清掃装置１の電気的構成を示すブロック図である。制御装置７は、例えばコンピュータであり、ＣＰＵと、制御プログラムが記憶された記憶部と、記憶部から制御プログラムが読み出されるメモリなどを備えている。制御装置７には、その入出力インターフェースを介して、昇降モータ３４および昇降位置センサ３５と、上流側吸引装置４３ｃ、上流側横行モータ４３ｅおよび上流側横行位置センサ４３ｆと、下流側吸引装置５３ｃ、下流側横行モータ５３ｅおよび下流側横行位置センサ５３ｆと、上流側水位センサ６Ａおよび下流側水位センサ６Ｂとが接続されており、制御プログラムにしたがってこれらを適宜制御する。
【００４７】
次に、上記実施の形態の作用について、図１０、図１１のフローチャートに基づいて説明する。通常時の清掃装置１は、図２および図３に示すように、メッシュスクリーン２を２次スクリーンＳの上流側に配置させて、海水Ｗ中に混在する塵芥を除去している。制御装置７は、上流側水位センサ６Ａおよび下流側水位センサ６Ｂによって、２次スクリーンＳの上流側および下流側の水位を測定する（ステップＳ１）。なお、この水位測定は、所定時間ごと（数時間おき、数日おき）に行ってもよいし、発電機の稼働中は常時測定を行っていてもよい。
【００４８】
制御装置７は、上流側水位センサ６Ａで測定した水位と、下流側水位センサ６Ｂで測定した水位との差（水位差）を算出し、予め設定されたしきい値（所定値）と比較する（ステップＳ２）。このしきい値は、メッシュスクリーン２が詰まった場合に生じる水位差を予め測定しておき、この測定結果に基づいて設定しておくことが好ましい。
【００４９】
制御装置７は、算出した水位差がしきい値に達した場合（水位差≧しきい値）には（ステップＳ２でＹＥＳ）、メッシュスクリーン２の清掃処理を開始する（ステップＳ３）。なお、メッシュスクリーン２の清掃中には、２次スクリーンＳによって海水Ｗ中の塵芥が除去されるので、復水器への海水Ｗの供給は継続することが可能である。
【００５０】
清掃処理では、制御装置７は、昇降モータ３４を第１の方向に回転させ、ワイヤ３２を巻き取ってメッシュスクリーン２を上昇させる（ステップＳ４、清掃工程）。メッシュスクリーン２は、ガイドユニット８およびガイドレール９によってガイドされて支柱Ｐに沿って上昇する。制御装置７は、昇降位置センサ３５によってメッシュスクリーン２の移動位置を検知し、上端の清掃位置に達したときに昇降モータ３４を停止させる。
【００５１】
このメッシュスクリーン２の上昇中には、メッシュスクリーン２の上流側の面にブラシ４１が摺接し、下流側の面にブラシ５１が摺接して付着した塵芥を掻き落とす（除去工程）。掻き落とされた塵芥は、ゴミ受け部４２、５２によって受け止められる。
【００５２】
メッシュスクリーン２が清掃位置で停止すると、吸引ノズル４３ａは、メッシュスクリーン２と一緒に上昇してきたゴミ受け部４２内に入り込む。制御装置７は、上流側吸引装置４３ｃ、上流側横行モータ４３ｅおよび上流側横行位置センサ４３ｆを動作させ、吸引ノズル４３ａをメッシュスクリーン２の幅方向で往復移動させて、ゴミ受け部４２に溜まった塵芥を吸引して収集する（ステップＳ５、収集工程）。制御装置７は、吸引ノズル４３ａの往復移動終了後、上流側吸引装置４３ｃ、上流側横行モータ４３ｅおよび上流側横行位置センサ４３ｆの動作を停止させる。
【００５３】
次いで制御装置７は、昇降モータ３４を第２の方向に回転させ、ワイヤ３２を繰り出してメッシュスクリーン２を下降させる（ステップＳ６、昇降工程）。メッシュスクリーン２は、ガイドユニット８およびガイドレール９によってガイドされ支柱Ｐに沿って下降する。制御装置７は、昇降位置センサ３５によってメッシュスクリーン２の移動位置を検知し、下端の除塵位置に達したときに昇降モータ３４を停止させる。
【００５４】
このメッシュスクリーン２の下降中にも、メッシュスクリーン２の上流側の面にブラシ４１が摺接し、下流側の面にブラシ５１が摺接して付着した塵芥を掻き落とす（除去工程）。掻き落とされた塵芥は、ゴミ受け部４２、５２によって受け止められる。
【００５５】
メッシュスクリーン２が除塵位置で停止すると、制御装置７は、下流側吸引装置５３ｃ、下流側横行モータ５３ｅおよび下流側横行位置センサ５３ｆを動作させ、吸引ノズル５３ａをメッシュスクリーン２の幅方向で往復移動させて、ゴミ受け部５２に溜まった塵芥を吸引して収集する（ステップＳ７、収集工程）。制御装置７は、吸引ノズル５３ａの往復移動終了後、下流側吸引装置５３ｃ、下流側横行モータ５３ｅおよび下流側横行位置センサ５３ｆの動作を停止させる。
【００５６】
以上説明したように、本実施形態によれば、２次スクリーンＳの上流側にメッシュスクリーン２を配設して水中の塵芥を除去するので、２次スクリーンＳへの塵芥の付着を防ぐ、すなわち２次スクリーンＳの汚染を防止することが可能である。また、２次スクリーンＳの詰まりを防ぐためにメッシュスクリーン２の清掃を行う場合には、昇降機構３によってメッシュスクリーン２を２次スクリーンＳの面に沿って上下動させ、メッシュスクリーン２の上昇および下降中に、メッシュスクリーン２の上流側および下流側の面に付着した塵芥を上流側除塵装置４および下流側除塵装置５によって除去するので、作業者が取水路Ｃに入って作業しなくても、２次スクリーンＳが詰まるのを防ぐことが可能である。さらに、メッシュスクリーン２の停止後に上流側除塵装置４および下流側除塵装置５によって除去された塵芥を収集するので、メッシュスクリーン２から除去した塵芥が再び水中に混在して付着するのを防ぐことが可能である。
【００５７】
また、清掃装置１は、既存の２次スクリーンＳに、メッシュスクリーン２、昇降機構３、上流側除塵装置４および下流側除塵装置５を取り付けることにより構成することが可能であるため、既存の２次スクリーンＳに大幅な改修を必要とせず、比較的容易に取り付けることが可能である。
【００５８】
さらに、メッシュスクリーン２を、２次スクリーンＳを支持するために設けられた支柱Ｐによってガイドするようにしたので、メッシュスクリーン２をガイドするための構成を簡略化することができ、既存の２次スクリーンＳに対して比較的容易に取り付けることが可能となる。
【００５９】
また、メッシュスクリーン２の上昇および下降中に、ブラシ４１、５１によって付着している塵芥を掻き落とすようにしたので、メッシュスクリーン２の全域に付着した塵芥を掻き落とすことが可能である。また、ブラシ４１、５１によって掻き落とされた塵芥をゴミ受け部４２、５２によって受けるようにしたので、掻き落とされた塵芥が散乱して２次スクリーンＳの周辺が汚れるのを防ぐことが可能である。さらに、ゴミ受け部４２、５２に溜まった塵芥は、吸引ノズル４３ａ、５３ａと、吸引ホース４３ｂ、５３ｂと、吸引装置４３ｃ、５３ｃと、横行ユニット４３ｄ、５３ｄとによって収集するので、掻き落とした塵芥が再び水中に混在して、メッシュスクリーン２や２次スクリーンＳが汚れるのを防ぐことが可能である。
【００６０】
また、２次スクリーンＳの上流側と下流側の水位差と、しきい値とを比較することによってメッシュスクリーン２が詰まっている状態を検知し、自動的にメッシュスクリーン２の清掃を開始することができるので、発電機の出力制限や、ユニットトリップなどの発生を抑えて、安定した発電状態を維持することが可能である。
【００６１】
（実施の形態２）
図１２は、この実施の形態に係る清掃装置によって塵芥を収集するための収集装置（ゴミ収集部）４３Ｑを示している。この実施の形態では、吸引ノズルを所定の位置に固定している点で実施の形態１と異なり、実施の形態１と同等の構成については、同一符号を付することでその説明を省略する。
【００６２】
図示するように、横行ユニット４３ｄには、ゴミ受け部４２上で矢印方向に移動して、ゴミ受け部４２に溜まった塵芥を吸引ノズル４３ａの下まで掃き集める箒部４３ｇが設けられている。吸引ノズル４３ａは、その固定された位置で、箒部４３ｇによって集められた塵芥を吸引する。
【００６３】
本実施の形態によれば、吸引ノズル４３ａを固定しているので、実施の形態１のように、吸引ノズル４３ａと一緒に吸引ホース４３ｂが移動できるように取り回しを考慮したり、吸引ホース４３ｂの移動スペースを確保したりする必要がなくなるので、より簡単に既存の２次スクリーンＳに取り付けることが可能となる。
【００６４】
以上、この発明の実施の形態について説明したが、具体的な構成は、上記の実施の形態に限られるものではなく、この発明の要旨を逸脱しない範囲の設計の変更等があっても、この発明に含まれる。例えば、実施の形態１では、上流側除塵装置４および下流側除塵装置５を設けたが、塵芥は主に上流側の面に付着するので、下流側除塵装置５を省略して上流側除塵装置４だけを設けてもよい。また、水位差に基づいてメッシュスクリーン２の清掃を自動的に行うようにしたが、従来どおりに目視検査や取水音の観察などに基づき、作業者が手動で清掃を開始させるようにしてもよい。また、火力発電所の冷却用の取水路に適用する例について説明したが、水力発電所等その他の取水路の平面スクリーンにも適用可能である。
【００６５】
また、上記実施の形態１、２では、メッシュスクリーン２だけを清掃するようにしたが、例えば図１３に示すように、メッシュスクリーン２の下流側の面（裏面）にブラシ２１を設けておき、メッシュスクリーン２が上下動する際にこのブラシ２１で２次スクリーンＳの上流側の面に付着した塵芥を掻き落とすようにしてもよい。これによれば、メッシュスクリーン２を清掃する際に２次スクリーンＳを一緒に清掃することができるので、２次スクリーンＳの汚れをより効果的に防ぐことが可能となる。
【符号の説明】
【００６６】
１              清掃装置
２              メッシュスクリーン
３              昇降機構（昇降手段）
４              上流側除塵装置（除塵手段）
４１            ブラシ（ゴミ落し部）
４２            ゴミ受け部
４３            収集装置（ゴミ収集部）
５              下流側除塵装置（除塵手段）
５１            ブラシ（ゴミ落し部）
５２            ゴミ受け部
５３            収集装置（ゴミ収集部）
６Ａ            上流側水位センサ
６Ｂ            下流側水位センサ
７              制御装置（制御手段）
８              ガイドユニット
９              ガイドレール
Ｃ              取水路
Ｓ              ２次スクリーン
Ｐ              支柱
【図１】
2018199970.tif 000003
【図２】
2018199970.tif 000004
【図３】
2018199970.tif 000005
【図４】
2018199970.tif 000006
【図５】
2018199970.tif 000007
【図６】
2018199970.tif 000008
【図７】
2018199970.tif 000009
【図８】
2018199970.tif 000010
【図９】
2018199970.tif 000011
【図１０】
2018199970.tif 000012
【図１１】
2018199970.tif 000013
【図１２】
2018199970.tif 000014
【図１３】
2018199970.tif 000015